(57)【特許請求の範囲】
【請求項１】
基地局情報管理端末と無線端末とを設け、
前記基地局情報管理端末は、
特定の基地局に関する固有の基地局情報が記憶される記憶手段、及び、
前記無線端末から発信された特定の呼び出し信号が着信して、通話モードになる前に特定の呼び出し信号が前記無線端末により切断されると、前記記憶手段に記憶された前記基地局情報を付加情報として、切断された特定の呼び出し信号に対して前記無線端末へ返信する切断信号に含めて、切断信号を前記無線端末に返信する返信手段を備え、
前記無線端末は、
前記呼び出し信号を前記基地局情報管理端末に発信して、前記基地局情報管理端末と通話モードになる前に発信した呼び出し信号を切断する発信手段、
前記返信手段から返信された切断信号に付加情報として含まれた前記基地局情報を登録する登録手段、及び、
現在受信している基地局情報と、前記登録手段に登録された基地局情報とが一致すると鳴動する鳴動手段を備えたこと
を特徴とする目的位置通知システム。
【請求項２】
前記特定の基地局は、その通信可能領域に目的位置を包含する
ことを特徴とする請求項１に記載の目的位置通知システム。
【請求項３】
特定の基地局に関する固有の基地局情報が記憶される記憶手段、及び、
無線端末から発信された特定の呼び出し信号が着信して、通話モードになる前に特定の呼び出し信号が前記無線端末により切断されると、前記記憶手段に記憶された前記基地局情報を付加情報として、切断された特定の呼び出し信号に対して前記無線端末へ返信する切断信号に含めて、切断信号を前記無線端末に返信する返信手段
を備えたことを特徴とする基地局情報管理端末。
【請求項４】
前記特定の基地局は、その通信可能領域に目的位置を包含する
ことを特徴とする請求項３に記載の基地局情報管理端末。
【請求項５】
請求項３に記載の基地局情報管理端末に前記特定の呼び出し信号を発信して、前記基地局情報管理端末と通話モードになる前に発信した呼び出し信号を切断する発信手段、
請求項３に記載の基地局情報管理端末の前記返信手段から返信された切断信号に付加情報として含まれた前記基地局情報を登録する登録手段、
現在受信されている基地局情報と、前記登録手段に登録された基地局の基地局情報とが一致すると鳴動する鳴動手段
を備えたことを特徴とする無線端末。
【請求項６】
請求項４に記載の基地局情報管理端末に前記特定の呼び出し信号を発信して、前記基地局情報管理端末と通話モードになる前に発信した呼び出し信号を切断する発信手段、
請求項４に記載の基地局情報管理端末の前記返信手段から返信された切断信号に付加情報として含まれた前記基地局情報を登録する登録手段、
現在受信されている基地局情報と、前記登録手段に登録された基地局の基地局情報とが一致すると鳴動する鳴動手段
を備えたことを特徴とする無線端末。
【請求項７】
呼び出し信号を無線端末から発信し、
前記無線端末からの呼び出し信号が基地局情報管理端末に着信され通話モードになる前に、前記呼び出し信号を前記無線端末により切断し、
前記基地局情報管理端末により、前記無線端末から発信された呼び出し信号に基づき、基地局情報管理端末に記憶された基地局情報を付加情報として、切断された呼び出し信号に対して前記無線端末へ返信する切断信号に含め、切断信号を前記無線端末に返信し、
前記無線端末により、前記基地局情報管理端末から返信された前記切断信号に付加情報として含められた基地局情報を、前記無線端末の登録手段に登録し、
前記無線端末により、前記登録手段に登録された基地局情報を、前記無線端末により現在受信している基地局情報と比較して、一致すると前記無線端末を鳴動させる
ことを特徴とする目的位置通知方法。
【発明の詳細な説明】
【０００１】
【発明の属する技術分野】
本発明は、移動体通信を利用した位置登録及び目的位置通知技術分野に関するものである。
【０００２】
【従来の技術】
従来の移動体通信を利用した位置登録及び通知技術に関するシステムとしては，特開平１０−２０２２３２に示されたものがあり、図７を用いて説明する。なお、この従来の移動体通信を利用した位置登録及び通知技術に関するシステムは、例えば徘徊老人等の位置通知等を目的として一部で実用化されているシステムである。
【０００３】
まずこの従来の移動体通信を利用した位置登録及び通知技術に関するシステムの構成を説明する。
図７において、１０１はＰＨＳや携帯電話などの無線端末である。この無線端末１０１は、従来の移動端末所在位置通知システムの被検索者である徘徊老人に装着される。また、この無線端末１０１は無線端末の識別標識である無線端末ＩＤを有する。２０１と２０２は基地局である。この基地局２０１及び基地局２０２は、固有の基地局情報である基地局ＩＤを有する。ここで、基地局ＩＤとは基地局の識別標識であり、それぞれの基地局が個別の基地局ＩＤを有している。また、３０１と３０２はそれぞれ基地局２０１、基地局２０２から発信される無線電波である。４０１と４０２はそれぞれ基地局２０１及び基地局２０２の通信可能領域である無線ゾーンである。この無線ゾーン４０１及び無線ゾーン４０２は、それぞれ基地局２０１及び基地局２０２から発信された無線電波３０１、無線電波３０２が届く範囲を示す領域である。さらに、５０１は本システムにおけるサービスの制御を行うサービス制御局、５０２、５０３、５０４はそれぞれサービス制御局５０１に収納されるホームメモリ、変換テーブル、トーキ装置である。さらに９０１、９０２はそれぞれ検索端末であるパソコン、一般電話である。また、５０５は通信網である。これら基地局２０１、基地局２０２、パソコン９０１、一般電話９０２、及びサービス制御局５０１に収納されたホームメモリ５０２、変換テーブル５０３、トーキ装置５０４はこの通信網５０５によって接続される。
【０００４】
次に、この従来の移動体通信を利用した位置登録及び通知技術に関するシステムの動作を説明する。
図５に示す従来の移動体通信を利用した位置登録及び通知技術に関するシステムでは、それぞれ基地局２０１または基地局２０２から無線電波３０１又は無線電波３０２を介して個別の基地局ＩＤが発信される。従って、例えば基地局２０１の基地局ＩＤが届くのは無線電波３０１が届く領域である無線ゾーン４０１内であり、基地局２０２の基地局ＩＤが届くのは、無線電波３０２が届く無線ゾーン４０２内である。
【０００５】
ここで、この無線端末１０１は、基地局から発信された上述の基地局ＩＤを断続的に受信し、受信した基地局ＩＤを一時的に記憶する。そして、現在受信している基地局ＩＤと、直前に受信し一時的に記憶した基地局ＩＤとを比較する。その結果、両者が一致した場合には、無線端末１０１は同一の無線ゾーン内にあり、移動していないものとみなされる。一方、両者が一致しない場合には無線端末１０１は無線ゾーンを移動したものとみなされ、無線端末１０１は現在受信している基地局ＩＤを無線端末ＩＤと共に位置情報として現在の基地局に返信する。
【０００６】
より具体的に説明すると、無線端末１０１が現在受信している基地局ＩＤが基地局２０１のものであり、その直前に受信し一時的に記憶した基地局ＩＤも基地局２０１のものである場合、無線端末１０１は移動しておらず、無線ゾーン４０１内に依然としてあるものとみなされる。一方、無線端末１０１が現在受信している基地局ＩＤが基地局２０１のものであり、その直前に受信し、一時的に記憶した基地局ＩＤが基地局２０２のものである場合、無線端末１０１は無線ゾーン４０２から無線ゾーン４０１に移動したものとみなされる。
【０００７】
そして現在受信している基地局２０１の基地局ＩＤが、無線端末１０１の無線端末ＩＤと共に、位置情報として無線端末１０１から基地局２０１に発信される。
【０００８】
続いて、現在の基地局２０１で受信された位置情報は、通信網５０５を介してサービス制御局５０１に収納されたホームメモリ５０２に記憶される。このホームメモリ５０２への位置情報の記憶は無線端末１０１が無線ゾーンを移動するたびに、時々刻々と行われる。
【０００９】
ここで、検索端末であるパソコン９０１あるいは一般電話９０２から無線端末ＩＤに対応した無線端末の番号等を伴う徘徊老人の所在位置の検索要求が行われたとする。この検索要求は通信網５０５を介してサービス制御局５０１に対して行われる。この際、サービス制御局５０１では、ホームメモリ５０２に時々刻々記憶される無線端末１０１の位置情報が、変換テーブル５０３によって所在位置が容易に判断される地名コードなどに変換される。検索端末がパソコン９０１のように、文字や図形表示が可能な端末の場合にはこの地名コードが通信網５０５を介してパソコン９０１に発信される。一方、検索端末が一般電話９０２のような音声端末の場合には、この地名コードはトーキ装置５０４により音声情報に変換され、一般電話９０２に発信される。この地名コードあるいは音声情報はパソコン９０１あるいは一般電話９０２に受信され、それぞれ表示あるいは発声される。  従来の移動体通信を利用した位置登録及び通知技術に関するシステムでは、徘徊老人等の所在位置はこのようにして通知される。
【００１０】
【発明が解決しようとする課題】
従来の移動体通信を利用した位置登録及び通知技術に関するシステムは、上述のように、無線端末１０１の所在位置をパソコン９０１や一般電話９０２を用いて検索することができる。しかし、例えば列車やバスに搭乗した無線端末１０１の携帯者が、目的とする駅やバス停等の目的位置に到着、あるいは近づいた時に、携帯者自身に知らせ、居眠りなどしていても確実に目的位置への到着を通知するといったことはできなかった。このような通知を行うものに類似するものとして、ＧＰＳを用いたカーナビゲーションシステムがある。
しかし、このＧＰＳを用いたカーナビゲーションシステムでは人工衛星等が必要となる。このため、従来の移動体通信を利用した位置登録及び通知技術に関するシステムや、無線端末１０１に多少の機能を追加するだけでは、かかる通知を実現することができない。
【００１１】
この発明は上述の問題を解決するためになされたものであり、第１の目的は、従来の移動体通信を利用した位置登録及び通知技術に関するシステムや、無線端末１０１に多少の機能を追加するだけで、無線端末１０１の携帯者が、目的位置に到着、あるいは近づいた時に、携帯者に目的位置への到着を通知することを可能にすることである。
また、この発明全部の目的ではないが、第２の目的は、無線端末１０１の携帯者が、事前に目的位置に無線端末１０１を携帯していかなくても、携帯者が目的位置に到着、あるいは近づいた時に、携帯者に目的位置への到着を通知することを可能にすることである。
【００１２】
【課題を解決するための手段】
この発明にかかる目的位置通知システムは、固有の基地局情報を発信する基地局を複数設け、基地局の内、特定の基地局の基地局情報が予め登録され、現在受信している基地局情報と、登録された基地局情報とが一致すると、鳴動する無線端末を設けて構成されたものである。
【００１３】
また、この発明にかかる目的位置通知システムは、基地局情報管理端末と無線端末とを設け、基地局情報管理端末は、特定の基地局に関する固有の基地局情報が記憶される記憶手段、及び無線端末から発信された特定の呼び出し信号が着信すると、記憶手段に記憶された基地局情報を無線端末に返信する返信手段を備え、無線端末は、呼び出し信号を発信する発信手段、返信手段から返信された基地局情報が登録される登録手段、及び現在受信している基地局情報と、登録手段に登録された基地局情報とが一致すると鳴動する鳴動手段を備えて構成されたものである。
【００１４】
さらに、この発明にかかる目的位置通知システムは、特定の基地局が、その通信可能領域に目的位置を包含して構成されたものである。
【００１５】
また、この発明にかかる目的位置通知システムは、基地局情報検索端末と無線端末とを設け、基地局情報検索端末は、任意の基地局に関する固有の基地局情報と、任意の基地局の通信可能領域に包含される目的位置に関する目的位置情報とを対応させて記憶する記憶手段、無線端末から発信された所望の目的位置情報に基づき、記憶手段に記憶された基地局情報を検索する検索手段、及び、検索手段によって検索された基地局情報を無線端末に返信する返信手段を備え、無線端末は、所望の目的位置情報を発信する発信手段、返信手段から返信された基地局情報が登録される登録手段、及び現在受信している基地局情報と、登録手段に登録された基地局情報とが一致すると鳴動する鳴動手段を備えて構成されたものである。
【００１６】
さらに、この発明にかかる基地局情報管理端末は、特定の基地局に関する固有の基地局情報が記憶される記憶手段、及び無線端末から発信された特定の呼び出し信号が着信すると、記憶手段に記憶された基地局情報を無線端末に返信する返信手段を備えて構成されたものである。
【００１７】
さらにまた、この発明にかかる基地局情報管理端末の特定の基地局は、その通信可能領域に目的位置を包含して構成されたものである。
【００１８】
また、この発明にかかる基地局情報検索端末は、任意の基地局に関する固有の基地局情報と、任意の基地局の通信可能領域に包含される目的位置に関する目的位置情報とを対応させて記憶する記憶手段、無線端末から発信された所望の目的位置情報に基づき、記憶手段に記憶された基地局情報を検索する検索手段、及び、検索手段によって検索された基地局情報を無線端末に返信する返信手段を備えて構成されたものである。
【００１９】
また、この発明に係る無線端末は、特定の基地局に固有の基地局情報が予め登録された登録手段、現在受信されている基地局情報と、登録手段に登録された基地局情報とが一致すると鳴動する鳴動手段を備えて構成されたものである。
【００２０】
また、この発明に係る無線端末における特定の基地局は、その通信可能領域に目的位置を包含て構成されたものである。
【００２１】
また、この発明に係る無線端末は、基地局情報管理端末に特定の呼び出し信号を発信する発信手段、基地局情報管理端末の返信手段から返信された基地局情報が予め登録される登録手段、現在受信されている基地局情報と、登録手段に登録された基地局の基地局情報とが一致すると鳴動する鳴動手段を備えて構成されたものである。
【００２２】
さらに、この発明に係る無線端末は、基地局情報検索端末に所望の目的位置情報を発信する発信手段、基地局情報検索端末の返信手段から返信された基地局情報が予め登録される登録手段、現在受信されている基地局情報と、登録手段に登録された基地局の基地局情報とが一致すると鳴動する鳴動手段を備えて構成されたものである。
【００２３】
また、この発明に係る無線端末の登録手段における基地局情報の登録は手動で行われるようにして構成されたものである。
【００２４】
さらに、この発明に係る目的位置通知方法は、特定の基地局の基地局情報が予め登録され、登録された基地局情報と、現在受信している基地局情報とが一致すると、無線端末が鳴動するものである。
【００２５】
また、この発明に係る目的位置通知方法は、呼び出し信号が無線端末から発信され、無線端末から発信された呼び出し信号に基づき、基地局情報管理端末に記憶された基地局情報が無線端末に返信され、基地局情報管理端末から返信された基地局情報は無線端末の登録手段に登録され、登録手段に登録された基地局情報は、現在受信している基地局情報と比較され、一致すると無線端末が鳴動するものである。
【００２６】
さらに、この発明に係る目的位置通知方法は、所望の目的位置情報が無線端末から発信され、無線端末から発信された所望の目的位置情報に基づき、その目的位置を通信可能領域に包含する基地局の基地局情報が基地局情報検索端末の記憶手段から検索され、得られた基地局情報は無線端末に返信され、基地局情報検索端末から返信された基地局情報は、無線端末の登録手段に登録され、登録手段に登録された基地局情報は、現在受信している基地局情報と比較され、一致すると、無線端末が鳴動するものである。
【００２７】
【発明の実施の形態】
実施の形態１
この発明の一実施形態として、特定の基地局の基地局ＩＤが携帯者の所有する無線端末１０１によって目的位置で予め直接受信され登録される場合を図１及び図２を用いて説明する。
【００２８】
図１は本実施形態に係る目的位置通知システム及び無線端末の構成並びに無線端末による目的位置での基地局ＩＤ登録の処理手順を示す図である。
この図１において、１０２は位置登録ボタンであり、無線端末１０１に設けられる。また、６０３は目的位置であり、例えば無線端末１０１の携帯者が行こうとする駅あるいは停留所等である。２０３は特定の基地局である。この特定の基地局２０３は、複数の基地局のうち特に、その通信可能領域である無線ゾーン４０３内に目的位置６０３を包含する基地局である。なお、無線ゾーン４０３は、特定の基地局２０３から発信された無線電波３０３が届く範囲を示す領域である。７００は目的位置での基地局ＩＤ登録の処理手順を示すフローチャートである。
【００２９】
次に、無線端末１０１による目的位置での基地局ＩＤ登録の処理手順を図１に示すフローチャート７００を用いて説明する。
フローチャート７００において、ステップ（以下ｓと略す。）７０１では特定の基地局２０３から無線電波３０３を介して発信された基地局ＩＤが、目的位置６０３にいる携帯者の無線端末１０１によって予め直接受信され、一時的に記憶される。
【００３０】
このｓ７０１が終了すると、ｓ７０２では、携帯者によって無線端末１０１の位置登録ボタン１０２が一定時間Ｔ押し下げられる。
【００３１】
ｓ７０２が終了すると、ｓ７０３では、ｓ７０１で一時的に記憶された特定の基地局２０３の基地局ＩＤが、無線端末１０１内の図示しない登録手段であるメモリに登録される。
【００３２】
ｓ７０３が終了すると、ｓ７０４では、携帯者は特定の基地局２０３の基地局ＩＤの登録が行われたか否かを確認するための確認表示を行うことができる。この確認表示は、例えば携帯者によって、位置登録ボタンが一定時間ｔ（Ｔ》ｔ）押し下げられることにより行われる。
【００３３】
なお、無線端末１０１は従来からの機能として、基地局ＩＤを受信し、一時的に記憶することができる。従って本実施形態の無線端末１０１は位置登録ボタン１０２及び、基地局ＩＤを登録するためのメモリの領域を従来の無線端末１０１の機能に付加するのみで、フローチャート７００に示す目的位置での基地局ＩＤ登録の処理を行うことができる。
【００３４】
また、図２は、図１に示す目的位置通知システム並びに無線端末による目的位置への到着を通知する処理手順を示す図である。この図２において、１０３は無線端末１０１の携帯者である。また、６０４は出発位置であり、例えば駅あるいは停留所等である。２０４は出発位置基地局であり、その通信可能領域である無線ゾーン４０４内に出発位置６０４を包含する基地局である。なお、無線ゾーン４０４は、出発位置基地局２０４から発信された無線電波３０４が届く範囲を示す領域である。また、６０５は出発位置６０４と、目的位置６０３を結ぶ経路であり、例えば線路又は道路等である。また、６０６はこの経路６０５を通る電車、６０７はこの経路６０５を通るバスである。
さらに、７０１は目的位置への到着を携帯者１０３に通知する処理手順を示すフローチャートである。
【００３５】
尚、図１及び図２において、図７に示す従来例と同一又は相当の部分には同一の符号を付してその説明を省略し、図７と相違する部分について説明した。更に、図２において、図１に示す本実施形態に係る目的位置通知システム及び無線端末の構成と同一又は相当の部分には同一の符号を付してその説明を省略し、図１と相違する部分について説明した。
【００３６】
次に、無線端末１０１における携帯者１０３に対する目的位置への到着を通知する処理手順を図２に示すフローチャート７０１を用いて説明する。
図１で説明した基地局ＩＤの登録を予め行った無線端末１０１を携帯した携帯者１０３は、出発位置６０４から列車６０６や、バス６０７に乗車する。
この列車６０６やバス６０７が経路６０５上を移動しはじめると、フローチャート７０１において、ｓ７０１では、従来通り、基地局ＩＤが、断続的に時々刻々と受信される。
【００３７】
一方、ｓ７０６では、ｓ７０１で現在受信している基地局ＩＤが、無線端末１０１に予め登録されている特定の基地局２０３の基地局ＩＤと随時比較される。両者の基地局ＩＤが一致しない場合にはこの比較は繰り返して行われる。
【００３８】
その後、列車６０６またはバス６０７が目的位置６０３に近づき、特定の基地局２０３の無線ゾーン４０３内に侵入すると、無線端末１０１が現在受信している基地局ＩＤと予め登録されている特定の基地局２０３の基地局ＩＤとが一致する。
【００３９】
ｓ７０６で現在受信している基地局ＩＤと予め登録された特定の基地局２０３の基地局ＩＤが一致した場合には、ｓ７０７へ進む。ｓ７０７では無線端末１０１による呼び出しが行われる。この呼び出しによって、携帯者１０３が居眠りなどしていても確実に携帯者１０３に目的位置への到着を通知することができる。
【００４０】
なお、この通知に際しては、従来の無線端末１０１が有している各種鳴動手段を利用する。ここで、鳴動手段とは、音声、振動のほか、無線端末の画面表示の色彩が変ることによる通知手段が含まれる。なお、この無線端末１０１が通常の電話としても用いられる場合には、通話着信との違いを区別するために、鳴動の方式を変えるなどの機能追加を行えば、更に効果が上がる。
また、上述のように、従来の無線端末１０１は、現在受信している基地局ＩＤと、直前に受信し一時的に記憶した基地局ＩＤの２つの基地局ＩＤとを比較する機能を有する。従って、本実施形態の無線端末１０１は、現在受信している基地局ＩＤを、直前に受信し一時的に記憶した基地局ＩＤだけでなく、予め登録されていた特定の基地局２０３の基地局ＩＤとも比較するという機能及び鳴動手段を付加するのみで、フローチャート７０１に示す目的位置への到着を通知する処理を行うことができる。
【００４１】
また、本実施形態の応用として、例えば、携帯者１０３が通勤にこの無線端末１０１を用い、往復時に、それぞれの目的位置で、到着通知を行う場合を説明する。上述の図２で目的位置６０３は携帯者１０３の通勤先がある最寄りの駅や停留所であるとする。一方、出発位置６０４は携帯者１０３の住居がある駅や停留所であるとする。また、無線端末１０１は２以上の基地局ＩＤを特定の基地局ＩＤとして登録することができ、かつこれを選択することができるようにする。すなわち、例えば、無線端末１０１が、ＰＨＳや携帯電話の場合には、位置登録ボタン１０２は、ＰＨＳや携帯電話に従来から設けられている数字ボタンと対応させ、１番の目的位置として基地局２０３の基地局ＩＤ、２番の目的位置として基地局２０４の基地局ＩＤというように登録することができるように構成する。
【００４２】
こうすることによって、携帯者１０３は出勤時には１番の目的位置として基地局２０３の基地局ＩＤを選択し、帰宅時には２番の目的位置として基地局２０４の基地局ＩＤを選択して設定しておくことにより、往復時に目的位置を使い分け、それぞれの目的位置で、到着通知を受けることができる。
【００４３】
なお、本実施形態に係る無線端末では携帯者はこの目的のために通話はしない。従って、携帯者に通話費用が発生することも無い。
【００４４】
また、本実施形態では、無線端末１０１における特定の基地局ＩＤの登録は、単一の特定の基地局２０３の基地局ＩＤのみを登録する場合について説明した。しかし、本発明にいう特定の基地局ＩＤの登録はこれに限定する意ではない。即ち、目的位置をより明確にすべく、目的位置で受信できる２以上の基地局が発信する基地局ＩＤを特定の基地局ＩＤとして登録することができる。また、この場合、それぞれの基地局から目的位置６０３までの距離に依存した無線電波の強弱等についても登録することが可能である。この場合には、無線端末１０１では、予め登録されたそれらの無線電波の強弱等も、目的位置で登録されたものと、現在のものが比較されることになる。また、本実施形態では携帯者１０３が列車６０６やバス６０７に乗って移動する場合について説明した。しかし、本発明はこれに限定する意ではなく、車、オートバイ、徒歩等何でもよい。
【００４５】
実施の形態２
次に本発明の他の実施形態について、図３及び図４を用いて説明する。図３は、本実施形態に係る目的位置通知システムの構成を示す図である。また図４は、本実施形態に係る目的位置通知システムの処理手順を示すシーケンスである。
【００４６】
なお、本実施形態の目的位置通知システムは目的位置６０３に行かなくても、目的位置６０３の基地局ＩＤを登録する場合を想定したものである。即ち、本実施形態は携帯者１０３が目的位置６０３に事前に行くことができない、又は、不案内で知らない等の理由により、無線端末１０１を目的位置６０３に携帯し、基地局ＩＤを予め直接受信し登録することができない場合等を考慮したものである。
【００４７】
まず、図３を用いて本実施形態に係る目的位置通知システムの構成を説明する。図において８０１は基地局ＩＤを管理する基地局情報管理端末である。この基地局情報管理端末８０１は、目的位置６０３の近傍に設置され、従来の無線端末に、後述の新規な機能を付加することにより構成される。
【００４８】
なお、図３において、図２に示す実施形態１に係る目的位置通知システムと同一又は相当の部分には同一の符号を付してその説明を省略し、図２と相違する部分について説明した。
【００４９】
次に、図４を用いて、本実施形態に係る目的位置通知システムの動作を説明する。
まず、ｓ７０８では目的位置６０３をその通信可能領域に包含する特定の基地局２０３から発信された基地局ＩＤが、従来の無線端末同様に基地局情報管理端末８０１によって受信され図示しない記憶手段であるメモリに一時的に記憶される。
【００５０】
このｓ７０８が終了した後、ｓ７０９では、特定の基地局ＩＤの登録を行おうとする無線端末１０１の携帯者１０３が、無線端末１０１の図示しない発信手段を用いて、基地局情報管理端末８０１の電話番号に向け発信する。
【００５１】
ｓ７０９の後、ｓ７１０で携帯者１０３は、無線端末１０１が、基地局情報管理端末８０１の電話番号に発信していることを無線端末１０１の画面表示、待ち受け音等から確認した後、その発信を切断する。この発信の切断は、無線端末１０１と、基地局情報管理端末８０１とが、通話モードに入らずに行うことができる。
【００５２】
ｓ７１０で発信が切断されると、ｓ７１１では、基地局情報管理端末８０１に付加された新規な機能による処理が行われる。即ち、基地局情報管理端末８０１は、従来の無線端末の基地局ＩＤを記憶するという記憶手段に加え、無線端末からの発信を着信すると、発信側に現在受信している基地局ＩＤを返信する返信手段が付加される。より具体的には、ｓ７１１ではメモリに一時的に記憶されている特定の基地局２０３の基地局ＩＤが特定の基地局ＩＤとして基地局情報管理端末８０１の図示しない返信手段から、無線端末１０１に向けて返信される。この返信の手段としては、種々考えられるが、例えばこの基地局ＩＤの返信は、ｓ７１０の発信の切断による切断信号の付加情報として基地局ＩＤが返信されるものである。このように返信の手段を構成すれば、従来の無線端末への機能の追加が容易である。
【００５３】
ｓ７１１が終了すると、ｓ７１２で携帯者１０３はこの返信された基地局ＩＤを無線端末１０３に特定の基地局ＩＤとして登録する。
この際、携帯者１０３は、例えばこの返信されてくる基地局ＩＤを無線端末１０１画面上に表示させるなどして確認することが可能である。
【００５４】
こうして、本実施形態では、基地局情報管理端末８０１の利用により無線端末１０１を目的位置６０３に携帯し、基地局ＩＤを予め直接受信し登録しなくても特定の基地局ＩＤを登録することができる。なお、目的位置への到着を携帯者１０３に鳴動手段により通知する処理手順は図２に示すフローチャート７０１の場合と同様である。また、本実施形態における特定の基地局ＩＤの登録は、通話モードに入らずに行うことができる。従って、回線利用料がかかることもない。
【００５５】
実施の形態３
次に本発明の他の実施形態について、図５及び図６を用いて説明する。図５は本実施形態の目的位置通知システムと、基地局情報検索端末の構成を示す図である。また、図６は本実施形態に係る目的位置通知システムの処理手順を示すシーケンスである。
【００５６】
まず、図５を用いて、本実施形態の目的位置通知システムと、基地局情報検索端末の構成を説明する。この図５において、９０３は通信網５０５の一端に設けられ、本実施形態の目的位置通知システムによるサービスを制御するために基地局ＩＤを集中管理するサービス制御局である。また、９０４はこのサービス制御局９０３に収納された基地局情報検索端末である。さらに、９０５はこの基地局情報検索端末９０４に設けられた記憶手段である変換テーブルである。この変換テーブル９０５は任意の基地局に関する基地局ＩＤと、その任意の基地局の通信可能領域に包含される目的位置に関する目的位置情報とが対応して記憶されるデータベースである。ここで、目的位置情報とは目的位置の住所、駅名、あるいはこれに対応した数列、電話番号等の情報をいう。さらにまた、９０６は基地局情報検索手段９０４に設けられた検索手段である。この検索手段９０６は、所望の目的位置情報に基づき変換テーブル９０５に記憶された基地局情報を検索する。
【００５７】
次に、図６を用いて、本実施形態に係る目的位置通知システムの動作を説明する。まず、ｓ９１１では、特定の基地局ＩＤの登録を行おうとする無線端末１０１の携帯者１０３が、無線端末１０１を用いて、基地局情報検索端末９０４の電話番号に向け発信する。
【００５８】
ｓ９１１が終了すると、ｓ９１２で携帯者１０３は、無線端末１０１が基地局情報検索端末９０４に接続したことを無線端末１０１の画面表示等で確認した後、所望の目的位置情報を基地局情報検索端末９０４に向けて発信する。この所望の目的位置情報は無線端末１０１に設けられた入力手段から入力され、図示しない発信手段から発信される。なお、入力手段としては、新規に入力手段を無線端末１０１に設けるほか、従来の無線端末に設けられた電話番号等を入力するための押し下げボタンを利用することもできる。また、所望の目的位置情報とは、変換テーブル９０５に、記憶された目的位置情報の内、携帯者１０３がこれから行こうとする目的位置の目的位置情報をいう。
【００５９】
ｓ９１２が終了すると、続いてｓ９１３では、基地局情報検索端末９０４は無線端末１０１から発信された所望の目的位置情報を着信する。そして、着信した所望の目的位置情報を基に、変換テーブル９０５に検索手段９０６からアクセスし、所望の目的位置情報に対応する基地局情報を検索する。
【００６０】
続いて基地局ＩＤ検索手段９０４は、図示しない返信手段を用いて無線端末１０１に対し、検索した基地局ＩＤを返信する。
【００６１】
なお、ｓ９１２、ｓ９１３における無線端末１０１と基地局情報検索端末９０４との間の通信方法は種々考えられるが、パケット通信で送受する、あるいは回線交換の場合は、両者が通信モードに入ってから、返送する方法が従来の無線通信システム及び無線端末への機能追加が最も容易である。すなわち、まず、パケット通信の場合は、両者間でパケットを用いて目的位置情報と基地局ＩＤを送受すればよい。また回線交換の場合は、一旦基地局情報検索端末９０４と接続し、ここからのガイダンス表示などに従い、無線端末１０１から所望の目的位置情報を発信し、その後、基地局情報検索端末９０４から基地局ＩＤを返信すればよい。
【００６２】
携帯者１０３はこの返信された基地局ＩＤを特定の基地局の基地局ＩＤとして無線端末１０３の登録手段である図示しないメモリに登録する。
この際、携帯者１０３は、例えばこの返信されてくる基地局ＩＤを無線端末１０１画面上に表示させるなどして確認することが可能である。なお、目的位置への到着を携帯者１０３に鳴動手段によって通知する処理手順は図２に示すフローチャート７０１の場合と同様である。
【００６３】
このように、本実施形態では、基地局情報検索端末９０４を利用することにより、無線端末１０１を目的位置６０３に携帯し、基地局ＩＤを予め直接受信し登録しなくても特定の基地局ＩＤを登録することができる。
【００６４】
実施の形態４
次に本発明の他の実施の形態の無線端末について説明する。本実施形態は、目的位置をその通信可能領域に包含する特定の基地局の基地局ＩＤが何らかの方法で公知になった場合を想定したものである。このような場合、無線端末１０１に基地局ＩＤを手動で直接入力する入力手段および、入力された基地局ＩＤを登録する登録手段を設けることにより、特定の基地局ＩＤを登録することが可能である。この場合も、目的位置への到着を携帯者１０３に鳴動手段により通知する処理手順は図２に示すフローチャート７０１の場合と同様である。なお、公知になる場合としては例えば、サービス制御局９０３を運営する企業が電話帳に付随して基地局ＩＤを目的位置情報とともに掲載する場合や、駅、バス停等に基地局ＩＤと目的位置情報の対応リストを張り出す場合などが考えられる。また入力手段としては、新規に入力手段を無線端末１０１に設ける他、従来の無線端末に設けられた電話番号等を入力するための押し下げボタン等を援用してもよい。
【００６５】
本実施形態においても、特定の基地局の基地局ＩＤを直接入力手段によって入力できる結果、無線端末１０１の携帯者が、事前に目的位置に無線端末１０１を携帯していかなくても、携帯者が目的位置に到着、あるいは近づいた時に、携帯者に目的位置への到着を通知することができる。
【００６６】
【発明の効果】
この発明にかかる目的位置通知システムは、固有の基地局情報を発信する基地局を複数設け、基地局の内、特定の基地局の基地局情報が予め登録され、現在受信している基地局情報と、登録された基地局情報とが一致すると、鳴動する無線端末を設けて構成されたものであり、携帯者が居眠りなどしていても携帯者に目的位置への到着を通知することができる。
【００６７】
また、この発明にかかる目的位置通知システムは、基地局情報管理端末と無線端末とを設け、基地局情報管理端末は、特定の基地局に関する固有の基地局情報が記憶される記憶手段、及び無線端末から発信された特定の呼び出し信号が着信すると、記憶手段に記憶された基地局情報を無線端末に返信する返信手段を備え、無線端末は、呼び出し信号を発信する発信手段、返信手段から返信された基地局情報が登録される登録手段、及び現在受信している基地局情報と、登録手段に登録された基地局情報とが一致すると鳴動する鳴動手段を備えて構成されたものであり、携帯者が居眠りなどしていても携帯者に目的位置への到着を通知することができる。
【００６８】
さらに、この発明にかかる目的位置通知システムは、特定の基地局が、その通信可能領域に目的位置を包含して構成されたものであり、携帯者が居眠りなどしていても携帯者に目的位置への到着を通知することができる。
【００６９】
また、この発明にかかる目的位置通知システムは、基地局情報検索端末と無線端末とを設け、基地局情報検索端末は、任意の基地局に関する固有の基地局情報と、任意の基地局の通信可能領域に包含される目的位置に関する目的位置情報とを対応させて記憶する記憶手段、無線端末から発信された所望の目的位置情報に基づき、記憶手段に記憶された基地局情報を検索する検索手段、及び、検索手段によって検索された基地局情報を無線端末に返信する返信手段を備え、無線端末は、所望の目的位置情報を発信する発信手段、返信手段から返信された基地局情報が登録される登録手段、及び現在受信している基地局情報と、登録手段に登録された基地局情報とが一致すると鳴動する鳴動手段を備えて構成されたものであり、携帯者が居眠りなどしていても携帯者に目的位置への到着を通知することができる。
【００７０】
さらに、この発明にかかる基地局情報管理端末は、特定の基地局に関する固有の基地局情報が記憶される記憶手段、及び無線端末から発信された特定の呼び出し信号が着信すると、記憶手段に記憶された基地局情報を無線端末に返信する返信手段を備えて構成されたものであり、無線端末を目的位置に携帯し、基地局ＩＤを予め直接受信し登録しなくても特定の基地局ＩＤを登録することができる。
【００７１】
さらにまた、この発明にかかる基地局情報管理端末の特定の基地局は、その通信可能領域に目的位置を包含して構成されたものであり、無線端末を目的位置に携帯し、基地局ＩＤを予め直接受信し登録しなくても特定の基地局ＩＤを登録することができる。
【００７２】
また、この発明にかかる基地局情報検索端末は、任意の基地局に関する固有の基地局情報と、任意の基地局の通信可能領域に包含される目的位置に関する目的位置情報とを対応させて記憶する記憶手段、無線端末から発信された所望の目的位置情報に基づき、記憶手段に記憶された基地局情報を検索する検索手段、及び、検索手段によって検索された基地局情報を無線端末に返信する返信手段を備えて構成されたものであり、無線端末を目的位置に携帯し、基地局ＩＤを予め直接受信し登録しなくても特定の基地局ＩＤを登録することができる。
【００７３】
また、この発明に係る無線端末は、特定の基地局に固有の基地局情報が予め登録された登録手段、現在受信されている基地局情報と、登録手段に登録された基地局情報とが一致すると鳴動する鳴動手段を備えて構成されたものであり、携帯者が居眠りなどしていても携帯者に目的位置への到着を通知することができる。
【００７４】
また、この発明に係る無線端末における特定の基地局は、その通信可能領域に目的位置を包含て構成されたものであり、携帯者が居眠りなどしていても携帯者に目的位置への到着を通知することができる。
【００７５】
また、この発明に係る無線端末は、基地局情報管理端末に特定の呼び出し信号を発信する発信手段、基地局情報管理端末の返信手段から返信された基地局情報が予め登録される登録手段、現在受信されている基地局情報と、登録手段に登録された基地局の基地局情報とが一致すると鳴動する鳴動手段を備えて構成されたものであり、無線端末を目的位置に携帯し、基地局ＩＤを予め直接受信し登録しなくても特定の基地局ＩＤを登録することができる。
【００７６】
さらに、この発明に係る無線端末は、基地局情報検索端末に所望の目的位置情報を発信する発信手段、基地局情報検索端末の返信手段から返信された基地局情報が予め登録される登録手段、現在受信されている基地局情報と、登録手段に登録された基地局の基地局情報とが一致すると鳴動する鳴動手段を備えて構成されたものであり、無線端末を目的位置に携帯し、基地局ＩＤを予め直接受信し登録しなくても特定の基地局ＩＤを登録することができる。
【００７７】
また、この発明に係る無線端末の登録手段における基地局情報の登録は手動で行われるようにして構成されたものであり、無線端末を目的位置に携帯し、基地局ＩＤを予め直接受信し登録しなくても特定の基地局ＩＤを登録することができる。
【００７８】
さらに、この発明に係る目的位置通知方法は、特定の基地局の基地局情報が予め登録され、登録された基地局情報と、現在受信している基地局情報とが一致すると、無線端末が鳴動するものであり、携帯者が居眠りなどしていても携帯者に目的位置への到着を通知することができる。
【００７９】
また、この発明に係る目的位置通知方法は、呼び出し信号が無線端末から発信され、無線端末から発信された呼び出し信号に基づき、基地局情報管理端末に記憶された基地局情報が無線端末に返信され、基地局情報管理端末から返信された基地局情報は無線端末の登録手段に登録され、登録手段に登録された基地局情報は、現在受信している基地局情報と比較され、一致すると無線端末が鳴動するものであり、携帯者が居眠りなどしていても携帯者に目的位置への到着を通知することができる。
【００８０】
さらに、この発明に係る目的位置通知方法は、所望の目的位置情報が無線端末から発信され、無線端末から発信された所望の目的位置情報に基づき、その目的位置を通信可能領域に包含する基地局の基地局情報が基地局情報検索端末の記憶手段から検索され、得られた基地局情報は無線端末に返信され、基地局情報検索端末から返信された基地局情報は、無線端末の登録手段に登録され、登録手段に登録された基地局情報は、現在受信している基地局情報と比較され、一致すると、無線端末が鳴動するものであり、携帯者が居眠りなどしていても携帯者に目的位置への到着を通知することができる。
【００８１】
【図面の簡単な説明】
【図１】実施形態１に係る目的位置通知システム及び無線端末の構成並びに無線端末による目的位置での基地局ＩＤ登録の処理手順を示す図である。
【図２】図１に示す目的位置通知システム並びに無線端末による目的位置への到着を通知する処理手順を示す図である。
【図３】実施形態２に係る目的位置通知システムの構成を示す図である。
【図４】実施形態２に係る目的位置通知システムの処理手順を示すシーケンスである。
【図５】実施形態３の目的位置通知システムと、基地局情報検索端末の構成を示す図である。
【図６】実施形態３に係る目的位置通知システムの処理手順を示すシーケンスである。
【図７】従来の移動体通信を利用した位置登録及び通知技術に関するシステムの構成を示す図である。
【００８２】
【符号の説明】
１０１  無線端末、１０２  位置登録ボタン、１０３  携帯者、２０１  基地局、２０２  基地局、２０３  特定の基地局、２０４  出発位置基地局、３０１無線電波、３０２  無線電波、３０３  無線電波、３０４  無線電波、４０１無線ゾーン、４０２  無線ゾーン、４０３  無線ゾーン、４０４  無線ゾーン、５０１  サービス制御局、５０２  ホームメモリ、５０３  変換テーブル、５０４  トーキ装置、５０５  通信網、６０３  目的位置、６０４  出発位置、６０５  経路、６０６  電車、６０７  バス、７００  目的位置での基地局ＩＤ登録の処理手順を示すフローチャート、７０１  目的位置への到着を携帯者に通知する処理手順を示すフローチャート、８０１  基地局情報管理端末、９０１  パソコン、９０２  一般電話、９０３  サービス制御局、９０４  基地局情報検索端末、９０５  変換テーブル、９０６  検索手段。
【図１】
0003933837.tif 000002
【図２】
0003933837.tif 000003
【図３】
0003933837.tif 000004
【図４】
0003933837.tif 000005
【図５】
0003933837.tif 000006
【図６】
0003933837.tif 000007
【図７】
0003933837.tif 000008